(57)【特許請求の範囲】
【請求項１】
伸縮性のある合成樹脂製繊維からなる浴室排水口の毛髪除去用ネットであって、置き寸１ｍｍ〜２０ｍｍの孔部が無数に形成された筒状のネット部と、この筒状のネット部の長さ方向両端部に形成された編地部とを備え、一端側の編地部を結ぶことにより一端側で口が閉じられ、他端側の編地部が目皿の周囲の下側に引っ掛かり目皿に装着されるようにしたことを特徴とする浴室排水口の毛髪除去用ネット。
【請求項２】
伸縮性のある合成樹脂製繊維からなる浴室排水口の毛髪除去用ネットであって、置き寸１ｍｍ〜２０ｍｍの孔部が無数に形成された筒状のネット部と、この筒状のネット部の長さ方向両端部に形成された編地部とを備え、一端側の編地部に縫着により閉じられた縫着部を形成し、他端側の編地部が目皿の周囲の下側に引っ掛かり目皿に装着されるようにしたことを特徴とする浴室排水口の毛髪除去用ネット。
【請求項３】
伸縮性のある合成樹脂製繊維からなる浴室排水口の毛髪除去用ネットであって、置き寸１ｍｍ〜２０ｍｍの孔部が無数に形成された筒状のネット部と、この筒状のネット部の長さ方向両端部に形成された編地部とを備え、一端側の編地部は粘着テープで閉じるように構成され、他端側の編地部が目皿の周囲の下側に引っ掛かり目皿に装着されるようにしたことを特徴とする浴室排水口の毛髪除去用ネット。
【発明の詳細な説明】
【０００１】
【発明の属する技術分野】
本発明は、浴室排水口の目皿にからみ付く毛髪を除去するために目皿に取り付けられる浴室排水口の毛髪除去用ネットに関するものである。
【０００２】
【従来の技術】
従来から特に洗髪時に抜け落ちた毛髪は浴室排水口の目皿にからみ付くか、あるいは目皿を通り抜けて目皿の下側のトラップに溜まり、適当な時期に目皿にからみ付いている毛髪を取り除いたり、目皿を外してトラップに溜まっている毛髪を取り除いたりしている。
【０００３】
しかしながら、目皿にからみ付いている多数本の毛髪を取り除いたり、さらには目皿を外してトラップに溜まっている毛髪を取り除いたりする作業は非常に面倒であり、毛髪を取り除かずに放置すると排水がスムーズに行なわれないという問題があった。
【０００４】
【発明が解決しようとする課題】
本発明はこのような課題を解決するもので、特に洗髪時に抜け落ちた毛髪を浴室排水口の目皿の位置で捕捉してトラップへ流れ落ちるのを防止し、目皿からの毛髪の取り除き作業を容易に行なえるようにすることを目的とするものである。
【０００５】
【課題を解決するための手段】
この課題を解決するために本発明は、伸縮性のある合成樹脂製繊維からなる浴室排水口の毛髪除去用ネットであって、置き寸１ｍｍ〜２０ｍｍの孔部が無数に形成された筒状のネット部と、この筒状のネット部の長さ方向両端部に形成された編地部とを備え、一端側の編地部を結ぶことにより一端側で口が閉じられ、他端側の編地部が目皿の周囲の下側に引っ掛かり目皿に装着されるようにしたことを要旨とするものである。また本発明は、伸縮性のある合成樹脂製繊維からなる浴室排水口の毛髪除去用ネットであって、置き寸１ｍｍ〜２０ｍｍの孔部が無数に形成された筒状のネット部と、この筒状のネット部の長さ方向両端部に形成された編地部とを備え、一端側の編地部に縫着により閉じられた縫着部を形成し、他端側の編地部が目皿の周囲の下側に引っ掛かり目皿に装着されるようにしたことを要旨とするものである。さらに本発明は、伸縮性のある合成樹脂製繊維からなる浴室排水口の毛髪除去用ネットであって、置き寸１ｍｍ〜２０ｍｍの孔部が無数に形成された筒状のネット部と、この筒状のネット部の長さ方向両端部に形成された編地部とを備え、一端側の編地部は粘着テープで閉じるように構成され、他端側の編地部が目皿の周囲の下側に引っ掛かり目皿に装着されるようにしたことを要旨とするものである。
【０００６】
この構成により、毛髪除去用ネットを目皿に簡単に装着することができて、洗髪時に抜け落ちた毛髪は浴室排水口の目皿に装着される毛髪除去用ネットにより捕捉され、目皿の下側に位置するトラップへ流れ落ちるのを防止することができる。また、ネット部で毛髪を捕捉した毛髪除去用ネットは結び部あるいは縫着部を摘んで目皿から引っ張ることにより簡単に取り外すことができる。
【０００７】
【発明の実施の形態】
以下、本発明の実施の形態について、図面に基づいて説明する。
先ず、図１〜図５に示す第１の実施の形態について説明すると、１は浴室排水口２の直径１０ｃｍ程度の円形の目皿３に上から被さるように伸縮自在でネット状に編成された毛髪除去用ネットで、太さが１５デニールのポリエステル製繊維を用いて丸編にて筒状に編成され、置き寸３ｍｍの孔部４が無数に形成された長さ５ｃｍ程度の筒状のネット部５と、この筒状のネット部５の長さ方向両端部に形成された編地部６，６とを備えている。
【０００８】
前述のように毛髪除去用ネット１は筒状のネット部４の長さ方向両端部に形成されている編地部６，６の内、一端側の編地部６を結ぶことにより一端側で口が閉じられ、かかる状態で円形の目皿３に上から被せられる。７は前記毛髪除去用ネット１の一端側の結び部である。毛髪除去用ネット１を円形の目皿３に被せるときは図２に示すように目皿３を浴室排水口２から外した状態で行なわれるのであって、毛髪除去用ネット１に使用されるポリエステル製繊維は伸縮性を有していることと編組織により小さな毛髪除去用ネット１であっても他端側の編地部６が目皿３の周囲の下側に引っ掛かって前記結び部７が目皿３のほぼ中心部上に位置するように被せられる。毛髪除去用ネット１が被せられた目皿３は浴室排水口２にセットされ、その状態で洗髪を行なうことにより抜け落ちた毛髪は毛髪除去用ネット１のネット部５に引っ掛かり、捕捉されることになる。ネット部５で毛髪を捕捉した毛髪除去用ネット１は前記結び部７を摘んで目皿３から引っ張ることにより簡単に外れることができ、新しい毛髪除去用ネット１と取り替えれば良い。
【０００９】
ところで、上記した毛髪除去用ネット１は１つづつ単体で作られても良いが、図５に示すように連続状態で作られていても良く、その場合、使用する人が家庭で隣り合う毛髪除去用ネット１，１間に位置する編地部６を隣り合う毛髪除去用ネット１，１間の幅方向の途中で切り離し、切り離された毛髪除去用ネット１の一端側の編地部６を結ぶことにより毛髪除去用ネット１は使用できる状態となる。
【００１０】
以上第１の実施の形態について説明したが、図６および図７に示す第２の実施の形態のように連続状態で作られる各毛髪除去用ネット１の一端側の編地部６に縫着により閉じられた縫着部８を形成してあっても良く、これにより隣り合う毛髪除去用ネット１，１間に位置する編地部６を切り離すことにより毛髪除去用ネット１は使用できる状態となる。他の構成は第１の実施の形態と同様である。
【００１１】
さらに、図８および図９に示す第３の実施の形態のように筒状のネット部４の長さ方向両端部に形成されている編地部６，６の内、一端側の編地部６を粘着テープ９で閉じるようにしても良い。筒状のネット部４の一端側の編地部６を粘着テープ９で閉じる作業は毛髪除去用ネット１が１枚ずつ切り離された状態で行なっても良く、あるいは図８に示すように毛髪除去用ネット１が連続状態で繋がった状態で各毛髪除去用ネット１の一端側の編地部６を粘着テープ９で閉じるようにしても良い。
【００１２】
なお、毛髪除去用ネット１の材料となる繊維としてはポリエステルの他、伸縮性を有するものであれば他の合成樹脂からなる繊維を使用することもできる。また、毛髪除去用ネット１のネット部５には置き寸３ｍｍの孔部４が無数に形成されているが、孔部４の大きさは置き寸３ｍｍに限定されるものではなく、置き寸１ｍｍ〜２０ｍｍの範囲であれば毛髪除去用ネット１による毛髪の捕捉効果を発揮する。また、孔部４の形状も図面に示す形状に限定されるものではない。
【００１３】
【発明の効果】
以上のように本発明によれば、毛髪除去用ネットを目皿に簡単に装着することができて、洗髪時に抜け落ちた毛髪は浴室排水口の目皿に装着される毛髪除去用ネットにより捕捉され、目皿の下側に位置するトラップへ流れ落ちるのを防止することができる。また、ネット部で毛髪を捕捉した毛髪除去用ネットは結び部あるいは縫着部を摘んで目皿から引っ張ることにより簡単に取り外すことができる。
【図面の簡単な説明】
【図１】本発明の第１の実施の形態における毛髪除去用ネットの斜視図である。
【図２】同毛髪除去用ネットを目皿に被せた状態を上方から見た斜視図である。
【図３】同毛髪除去用ネットを目皿に被せた状態を下方から見た斜視図である。
【図４】同毛髪除去用ネットが被せられた目皿を浴室排水口にセットした状態を示す斜視図である。
【図５】同連続状態で作られた毛髪除去用ネットの平面図である。
【図６】本発明の第２の実施の形態において連続状態で作られた毛髪除去用ネットの平面図である。
【図７】同切り離された毛髪除去用ネットの斜視図である。
【図８】本発明の第３の実施の形態における毛髪除去用ネットの斜視図である。
【図９】同連続状態で作られた毛髪除去用ネットの平面図である。
【符号の説明】
１    毛髪除去用ネット
２    浴室排水口
３    目皿
４    孔部
５    ネット部
６    編地部
７    結び部
８    縫着部
９    粘着テープ
【図１】
0003558619.tif 000002
【図２】
0003558619.tif 000003
【図３】
0003558619.tif 000004
【図４】
0003558619.tif 000005
【図５】
0003558619.tif 000006
【図６】
0003558619.tif 000007
【図７】
0003558619.tif 000008
【図８】
0003558619.tif 000009
【図９】
0003558619.tif 000010